(57)【特許請求の範囲】
【請求項１】
対向する側面部の縁部を内側に折曲して本体折曲部とした略樋状の本体と、この本体の端部に取り付けられるキャップと、前記本体の両端部に取り付けられる略矩形状の一対のソケット台と、このソケット台に取り付けられるソケットと、前記ソケット台を介して前記本体に取り付けられる反射板とを具備しており、前記ソケット台は、ソケットが取り付けられるソケット取付面部と、このソケット取付面部の対向する縁部を折曲してなるソケット台折曲部と、前記ソケット取付面部に延設されており、前記本体の側面部の内側に嵌まり込む嵌合部とを有しており、当該ソケット台は、前記ソケット台折曲部が本体の側面部を外側から挟み込み、かつ前記嵌合部が本体折曲部の内側に当接した状態で本体に取り付けられ、前記反射板の端部には、本体に取り付けられたソケット台のソケット取付面部が露出する凹状切欠部が設けられており、反射板は締結手段によって前記嵌合部に締結されることを特徴とする照明器具。
【請求項２】
前記本体の側面部の端縁部と本体の上面部の端縁部とには開口が開設され、前記キャップには開口に嵌まり込む爪部が突出されていることを特徴とする請求項１記載の照明器具。
【請求項３】
前記ソケット台の反嵌合部側には、本体に取り付けられた状態で本体折曲部より内側になる位置に切込部が、前記キャップには前記切込部に嵌まり込む突起がそれぞれ形成されており、前記切込部の外側縁部は、ソケット台を本体に取り付けると、本体折曲部の縁部とほぼ一致することを特徴とする請求項１又は２記載の照明器具。
【発明の詳細な説明】
【０００１】
【産業上の利用分野】
本発明は照明器具に関する。
【０００２】
【従来の技術】
蛍光灯等を用いた照明器具は、天井等に取り付けられる本体と、この本体に取り付けられる反射板と、この反射板に取り付けられるソケットとを有している。本体は側面視略凹字形状に形成されており、その端部には側板が溶接、ビス止め等で取り付けられている。
【０００３】
【発明が解決しようとする課題】
しかしながら、上述した従来の照明器具には以下のような問題点がある。
本体に側板を溶接で取り付ける場合には、図８に示すように切断加工した金属板を破線部分から折曲し、縁部を溶接する必要がある。すなわち、図８において斜線で示した部分は無駄になるとともに、溶接等の加工が必要となる。本体にビスで側板を取り付ける場合も、材料の無駄が生じるとともにビス止めという作業が必要になる。
【０００４】
また、ソケットは反射板に直接取り付けられるため、ソケットの反射板に対するねじ止めを含む取付作業と、反射板の本体に対するねじ止めを含む取付作業との２回にわたる取付作業が必要となる。
【０００５】
また、反射板には複数の種類がある。すなわち、図９（Ａ）示すように、斜めになった一対の傾斜面部９１０Ａを有する反射板９００Ａや、図９（Ｂ）に示すように一方にのみ傾斜面部９１０Ｂを有する反射板９００Ｂや、図９（Ｃ）に示すように傾斜面部に相当するものがない反射板９００Ｃ等がある。このように複数種類の反射板があるが、反射板にソケットを直接取り付ける従来の場合、反射板を交換しようとする、反射板の形状を変更しようとすると、反射板を本体から取り外した後、ソケットを反射板から取り外し、このソケットを形状の異なる反射板に取り付けてから当該反射板を本体に取り付ける、という作業工程であった。これでは、反射板を容易に変更することができない。
【０００６】
本発明は上記事情に鑑みて創案されたもので、本体の材料の無駄がなく組立が容易で、かつ取付作業が容易な照明器具を提供することを目的としている。
【０００７】
【課題を解決するための手段】
請求項１に係る照明器具は、対向する側面部の縁部を内側に折曲して本体折曲部とした略樋状の本体と、この本体の端部に取り付けられるキャップと、前記本体の両端部に取り付けられる略矩形状の一対のソケット台と、このソケット台に取り付けられるソケットと、前記ソケット台を介して前記本体に取り付けられる反射板とを備えており、前記ソケット台は、ソケットが取り付けられるソケット取付面部と、このソケット取付面部の対向する縁部を折曲してなるソケット台折曲部と、前記ソケット取付面部に延設されており、前記本体の側面部の内側に嵌まり込む嵌合部とを有しており、当該ソケット台は、前記ソケット台折曲部が本体の側面部を外側から挟み込み、かつ前記嵌合部が本体折曲部の内側に当接した状態で本体に取り付けられ、前記反射板の端部には、本体に取り付けられたソケット台のソケット取付面部が露出する凹状切欠部が設けられており、反射板は締結手段によって前記嵌合部に締結されるようになっている。
【０００８】
また、請求項２に係る照明器具では、本体の側面部の端縁部と本体の上面部の端縁部とには開口が開設され、前記キャップには開口に嵌まり込む爪部が突出されている。
【０００９】
さらに、請求項３に係る照明器具では、ソケット台の反嵌合部側には、本体に取り付けられた状態で本体折曲部より内側になる位置に切込部が、前記キャップには前記切込部に嵌まり込む突起がそれぞれ形成されており、前記切込部の外側縁部は、ソケット台を本体に取り付けると、本体折曲部の縁部と一致するように構成されている。
【００１０】
【実施例】
図１は本発明の一実施例に係る照明器具の概略的分解斜視図、図２は本発明の一実施例に係る要部の概略的断面図、図３はソケットが取り付けられたソケット台を本体に取り付けた状態の概略的底面図、図４は図３のＩ−Ｉ線断面図、図５は本発明の一実施例に係る照明器具に用いられるキャップの概略的図面であって、同図（Ａ）は正面図、同図（Ｂ）は同図（Ａ）のII−II線断面図、同図（Ｃ）は背面図、同図（Ｄ）は底面図である。
【００１１】
また、図６は本発明の一実施例に係る照明器具に用いられるソケット台の概略的図面であって、同図（Ａ）は背面図、同図（Ｂ）は左側面図、同図（Ｃ）は右側面図、同図（Ｄ）は同図（Ａ）のIII − III線断面図、図７は本発明の一実施例に係る照明器具に用いられる他のソケット台の概略的図面であって、同図（Ａ）は背面図、同図（Ｂ）は左側面図、同図（Ｃ）は右側面図、同図（Ｄ）は同図（Ａ）のＩＶ−ＩＶ線断面図である。
【００１２】
本実施例に係る照明器具は、対向する側面部１２０の縁部を内側に折曲して本体折曲部１１０とした略樋状の本体１００と、この本体１００の端部１３０に取り付けられるキャップ２００と、前記本体１００の両側の端部１３０に取り付けられる略矩形状の一対のソケット台３００と、このソケット台３００に取り付けられるソケット４００と、前記ソケット台３００を介して前記本体１００に取り付けられる反射板５００とを備えている。
【００１３】
前記本体１００は、取り付けられる蛍光灯等のランプの長さ寸法に応じた長尺状部材であり、金属板を折曲形成して構成されている。かかる本体１００は、上面部１４０の長手方向に沿った縁部を略直角に折曲して対向する一対の側面部１２０となしている。さらに、側面部１２０の縁部を内側に折曲して本体折曲部１１０としている。すなわち、この本体１００は端部１３０側から見ると略逆凹字形状の樋状に形成されているのである。
【００１４】
また、この本体１００の端部１３０側には長方形状の開口が開設されている。すなわち、上面部１４０には２つの開口１４１が、側面部１２０はそれぞれ１つの開口１２１が開設されているのである。なお、この本体１００の上面１４０には、照明器具を天井等に取り付ける際に利用する開口等 (図示省略) が開設されている。
【００１５】
なお、この本体１００の内部には、図示しない安定器やリード線等の照明器具に必要な各種の部品が収納されている。
【００１６】
キャップ２００は、上述した本体１００の端部１３０に取り付けられるものであり、合成樹脂から形成されている。かかるキャップ２００は、図５に示すように、正面視略四角形状であり、予め円形の溝２１１が形成された正面部２１０と、この正面部２１０の３辺から正面部２１０に直交する方向に延設された枠部２２０と、この枠部２２０が形成されていない辺から正面部２１０に直交する方向に延設された背低枠２３０とを有している。
【００１７】
前記枠部２２０は、キャップ２００が本体１００に取り付けられた際、一対の側面部１２０と上面部１４０とに被さる部分である。一方、背低枠部２３０は、本体１００の一対の本体折曲部１１０の間に嵌まり込む部分であって、前記枠部２２０より背低に形成されている。
【００１８】
前記枠部２２０の内側には、合計４つの爪部２２１が突出形成されている。この爪部２２１は、前記開口１２１、１４１に嵌まり込むものであって、開口１２１、１４１に対応するように略長方形状の盛上として形成されている。
【００１９】
また、前記背低枠部２３０の内側には、一対の突起２３１が突出形成されている。この突起２３１は、後述するソケット台３００の切込部３１２に嵌まり込んで本体１００の側面部１２０が内側に変形することを防止するためのものである。
【００２０】
前記ソケット４００は、蛍光灯等のランプが取り付けられるものであって、ソケット本体部４１０と、このソケット本体部４１０を後述するソケット台３００に取り付けるための取付リング４２０とを有している。ソケット本体部４１０は、ランプに沿ったランプ取付部４１１と、このランプ取付部４１１から突出された導出部４１２とが一体に形成されたものである。
【００２１】
導出部４１２は図示しない配線を本体１００にまで導き出す部分であり、その外周面には雄ねじ４１３が形成されている。また、前記取付リング４２０の内周面には前記雄ねじ４１３に対応する雌ねじ (図示省略) が形成されている。なお、このソケット４００には、室外での使用を考慮すると防水性を有するものを用いるのが望ましい。
【００２２】
前記ソケット台３００は、ソケット４００を１つだけ取り付けるようにしたものであって、金属板を折曲形成することで構成している。かかるソケット台３００は、図６に示すように、ソケット４００が取り付けられるソケット取付面部３１０と、このソケット取付面部３１０の対向する縁部を折曲してなるソケット台折曲部３２０と、前記ソケット取付面部３１０に延設されており、前記本体１００の側面部１２０の内側に嵌まり込む嵌合部３３０とを有している。
【００２３】
ソケット取付面部３１０には、ソケット４００を取り付けるための開口３１１が開設されている。かかる開口３１１にソケット４００の導出部４１２を嵌め込んで、取付リング４２０を導出部４１２の雄ねじ４１３に螺合させると、ソケット４００がソケット台３００に取り付けられることになる。
【００２４】
このソケット取付面３１０の縁部、後述する嵌合部３３０が設けられた側とは反対の側（反嵌合部側）には、本体１００に取り付けられた状態で本体折曲部１１０より内側になるような位置に一対の略半円状の切込部３１２が形成されている。この切込部３１２の位置は、ソケット台３００を本体１００に取り付けると、切込部３１２の外側の縁部が本体折曲部１１０の縁部とほぼ一致するように設定されている。
【００２５】
このソケット取付面部３１０の対向する縁部、すなわちソケット台３００を本体１００に取り付けた場合、本体１００の側面部１２０側に位置する縁部にはソケット台折曲部３２０が設けられている。このソケット台折曲部３２０は、本体１００に取り付けられると、本体１００の側面部１２０を外側から挟み込むようになっている。従って、本体１００は一対の側面部１２０が一対のソケット台折曲部３２０の間に入り込むようになるので、側面部１２０の外側への変形はソケット台折曲部３２０により防止されることになる。
【００２６】
また、前記嵌合部３３０は、ソケット取付面部３１０から段差部３４０を介して延設された部分である。この段差部３４０の段差寸法は、後述する反射板５００の板厚に等しく設定されている。かかる嵌合部３３０は、段差部３４０においてソケット取付面部３１０より若干幅狭に形成され、さらに先端側で段差部３４０よりは幅広であるが、ソケット取付面部３１０よりは若干幅狭に形成されている。すなわち、嵌合部３３０の先端両端部には突出爪部３３１が形成されているのである。
【００２７】
また、嵌合部３３０には２つのねじ孔３３２が開設されている。このねじ孔３３２は、後述する締結手段であるねじ５３０が螺合される部分である。さらに、ソケット取付面部３１０から段差部３４０を介して嵌合部３３０にかけてはソケット台３００の強度を増すための盛上部３３３が設けられている。
【００２８】
この嵌合部３３０は、前記突出爪部３３１を本体１００の内側、すなわち本体折曲部１１０の内側に入れた状態で本体１００に取り付けられる。
【００２９】
前記反射板５００は、本体１００とほぼ同幅寸法の上面部５１０と、この上面部５１０の長手方向の縁部から上面部５１０に対して約４５°の角度で折曲された傾斜面部５２０とが一体に形成されたものである。上面部５１０の両端部には、本体１００に取り付けられたソケット台３００のソケット取付面部３１０が露出する凹状切欠部５１１が設けられている。
【００３０】
この反射板５００は、凹状切欠部５１１でソケット取付面部３１０を露出させて本体１００に取り付けられるのである。すなわち、反射板５００は、嵌合部３３０を覆い隠して本体１００に取り付けられるのであるが、その際、段差部３４０に上面部５１０が当接するため、反射板５００の上面部５１０と、ソケット台３００のソケット取付面部３１０とは面一になる。
【００３１】
また、凹状切欠部５１１の近傍には一対の貫通孔５１２が開設されている。かかる貫通孔５１２は、締結手段である前記ねじ５３０が通過する部分である。従って、この貫通孔５１２の位置等は、ソケット台３００に形成されている２つのねじ孔３３２に対応して設定されている。
【００３２】
このような部品から構成される照明器具は以下のようにして組み立てられる。
まず、本体１００の両側の端部１３０にキャップ２００を取り付ける。キャップ２００の爪部２２１は、本体１００の開口１２１、１４１に嵌まり込み、本体１００とキャップ２００とが強固に結合される。
【００３３】
次に、ソケット台３００にソケット４００を取り付ける。すなわち、ソケット４００の導出部４１２の雌ねじ４１３をソケット台３００の開口３１１に嵌め込み、導出部４１２の雌ねじ４１３に取付リング４２０を螺合させる。
【００３４】
ソケット４００が取り付けられたソケット台３００を、天井等に取り付けられた本体１００に取り付ける。すなわち、ソケット台３００の一対のソケット台折曲部３２０を本体１００の側面部１２０の外側に位置させるとともに、嵌合部３３０の突出爪部３３１を側面部１２０の内側に位置させる。これで、本体１００の側面部１２０は、ソケット台折曲部３２０と突出爪部３３１とで挟まれた状態になる。
【００３５】
この状態ではソケット台３００は本体１００に対して長手方向にスライド可能に取り付けられていることになる。ここで、ソケット台３００を本体１００の端部１３０側にスライドさせる。すると、ソケット台３００の反嵌合部側がキャップ２００に嵌まり込む。
【００３６】
同時に、キャップ２００の一対の突起２３１が、ソケット台３００の一対の切込部３１２に嵌まり込む。ここで、切込部３１２は、外側の縁部が本体折曲部１１０とほぼ一致するように設定されているので、この切込部３１２に嵌まり込んだ突起２３１は本体折曲部１１０と当接することになる。従って、本体１００の側面部１２０に内側に変形しようとする力が加えられても、キャップ２００の突起２３１によって変形が防止される。
【００３７】
また、突出爪部３３１も本体１００の側面部１２０の内側に当接しているので、この突出爪部３３１も側面部１２０の内側への変形の防止に寄与することになる。
【００３８】
次に、反射板５００を本体１００に取り付ける。すなわち、反射板５００の両端部の凹状切欠部５１１にソケット台３００のソケット取付面部３１０を合わせることにより、貫通孔５１２とねじ孔３３２とを一致させ、締結手段であるねじ５３０で反射板５００とソケット台３００とを締結することで、反射板５００を本体１００に取り付けるのである。従って、ソケット台３００の嵌合部３３０に反射板５００を取り付けることが、反射板５００の本体１００への取り付けになる。
【００３９】
反射板５００とソケット台３００の突出爪部３３１とは、本体１００の本体折曲部１１０を表裏両面から挟み込むようになる。このため、反射板５００をソケット台３００に取り付けることにより、反射板５００の本体１００に対する取り付けが行われる。
【００４０】
上述した実施例では、１つのランプを使用する一灯用の照明器具を挙げたが、本発明がこれに限定されるわけではない。例えば、２つのランプを使用する二灯用の照明器具に適用できる。この場合は、図７に示すような二灯用のソケット台６００を使用すればよい。
【００４１】
この二灯用のソケット台６００は、一灯用のソケット台３００とはソケット取付面部６１０が大きく異なる。すなわち、一灯用のソケット台３００は、ソケット取付面部３１０が平坦に構成されていたが、この二灯用のソケット台６００のソケット取付面部６１０には、側面視略三角形状の盛上部６１１が形成されており、この盛上部６１１の２つの傾斜面６１２Ａ、６１２Ｂにソケット４００を取り付けるための開口６１３Ａ、６１３Ｂがそれぞれ開設されているのである。
【００４２】
この二灯用のソケット台６００は、他の部分、すなわちソケット台折曲部６２０、嵌合部６３０或いは切込部６１４等は、一灯用のソケット台３００の同等の部分と同一に構成されている。
【００４３】
従って、この二灯用のソケット台６００は、まったく一灯用のソケット台３００と同じようにして本体１００に取り付けることが可能となる。すなわち、ソケット台６００の一対のソケット台折曲部６２０を本体１００の側面部１２０の外側に位置させるとともに、嵌合部６３０の突出爪部６３１を側面部１２０の内側に位置させる。これで、本体１００の側面部１２０は、ソケット台折曲部６２０と突出爪部６３１とで挟まれた状態になる。
【００４４】
この状態ではソケット台６００は本体１００に対して長手方向にスライド可能に取り付けられていることになる。ここで、ソケット台６００を本体１００の端部１３０側にスライドさせる。すると、ソケット台６００の反嵌合部側がキャップ２００に嵌まり込む。
【００４５】
同時に、キャップ２００の一対の突起２３１が、ソケット台６００の一対の切込部６１４に嵌まり込む。ここで、切込部６１４は、外側の縁部が本体折曲部１１０とほぼ一致するように設定されているので、この切込部６１４に嵌まり込んだ突起２３１は本体折曲部１１０と当接することになる。従って、本体１００の側面部１２０に内側に変形しようとする力が加えられても、キャップ２００の突起２３１によって変形が防止される。
【００４６】
また、突出爪部６３１も本体１００の側面部１２０の内側に当接しているので、この突出爪部６３１も側面部１２０の内側への変形の防止に寄与することになる。
【００４７】
なお、嵌合部６３０に設けられた一対のねじ孔６３２には締結手段であるねじ５３０によって反射板５００が取り付けられる。
【００４８】
なお、上述した反射板５００は、約４５°の一対の傾斜面部５２０を有するものとして説明したが、従来の技術の欄で説明したように、図９（Ｂ）〜（Ｃ）に示すようなものであってもよい。ただし、この場合には凹状切欠部５１１を設けることはいうまでもない。
【００４９】
【発明の効果】
請求項１に係る照明器具は、対向する側面部の縁部を内側に折曲して本体折曲部とした略樋状の本体と、この本体の端部に取り付けられるキャップと、前記本体の両端部に取り付けられる略矩形状の一対のソケット台と、このソケット台に取り付けられるソケットと、前記ソケット台を介して前記本体に取り付けられる反射板とを備えており、前記ソケット台は、ソケットが取り付けられるソケット取付面部と、このソケット取付面部の対向する縁部を折曲してなるソケット台折曲部と、前記ソケット取付面部に延設されており、前記本体の側面部の内側に嵌まり込む嵌合部とを有しており、当該ソケット台は、前記ソケット台折曲部が本体の側面部を外側から挟み込み、かつ前記嵌合部が本体折曲部の内側に当接した状態で本体に取り付けられ、前記反射板の端部には、本体に取り付けられたソケット台のソケット取付面部が露出する凹状切欠部が設けられており、反射板は締結手段によって前記嵌合部に締結されるように構成されている。
【００５０】
このため、この照明器具は、本体は単に金属板を折曲形成することで得られ、端部にキャップを取り付けることで本体の強度を確保することができる。すなわち、この照明器具の本体、ひいては照明器具は、溶接等の作業を行うことなく非常に簡単に構成することができるのである。
【００５１】
その上、ソケット台の各部が本体の側面部の表裏両面から当接するような構成になっているため、キャップだけでなくソケット台によっても本体の強度が確保されている。
【００５２】
また、ソケット台は特にねじ止め等なしに本体に取り付けられ、反射板を取り付ける際にねじ止めするだけでよいので、従来のものよりねじ止め作業が少なくなるので、組立が簡単になる。また、この本体は従来のように製作時に無駄になる部分がないので効率的である。
【００５３】
さらに、反射板に直接ソケットを取り付けるのではなく、ソケット台にソケットを取り付け、このソケット台を本体に取り付け、ソケット台を介して反射板を本体に取り付けるようにしているため、反射板のみを本体から取り外すことができるので、形状の異なる反射板への交換がきわめて容易である。
【００５４】
また、請求項２に係る照明器具は、前記本体の側面部の端縁部と本体の上面部の端縁部とには開口が開設され、前記キャップには開口に嵌まり込む爪部が突出されている。従って、キャップは本体に対して強固に取り付けられるので、本体の強度は単にキャップを取り付けた場合よりも増加している。
【００５５】
さらに、請求項３に係る照明器具は、前記ソケット台の反嵌合部側には、本体に取り付けられた状態で本体折曲部より内側になる位置に切込部が、前記キャップには前記切込部に嵌まり込む突起がそれぞれ形成されており、前記切込部の外側縁部は、ソケット台を本体に取り付けると、本体折曲部の縁部とほぼ一致するように構成されている。
【００５６】
従って、本体の本体折曲部にはキャップの突起によって内側から支えられることになるので、特に本体の側面部の内側への変形を防止することができる。
【図面の簡単な説明】
【図１】本発明の一実施例に係る照明器具の概略的分解斜視図である。
【図２】本発明の一実施例に係る要部の概略的断面図である。
【図３】ソケットが取り付けられたソケット台を本体に取り付けた状態の概略的底面図である。
【図４】図３のＩ−Ｉ線断面図である。
【図５】本発明の一実施例に係る照明器具に用いられるキャップの概略的図面であって、同図（Ａ）は正面図、同図（Ｂ）は同図（Ａ）のII−II線断面図、同図（Ｃ）は背面図、同図（Ｄ）は底面図である。
【図６】本発明の一実施例に係る照明器具に用いられるソケット台の概略的図面であって、同図（Ａ）は背面図、同図（Ｂ）は左側面図、同図（Ｃ）は右側面図、同図（Ｄ）は同図（Ａ）のIII − III線断面図である。
【図７】本発明の一実施例に係る照明器具に用いられる他のソケット台の概略的図面であって、同図（Ａ）は背面図、同図（Ｂ）は左側面図、同図（Ｃ）は右側面図、同図（Ｄ）は同図（Ａ）のＩＶ−ＩＶ線断面図である。
【図８】従来の照明器具に用いられる本体の概略的展開図である。
【図９】反射板の種類を説明する反射板の概略的斜視図である。
【符号の説明】
１００    本体
１１０    本体折曲部
１２０    側面部
１３０    端部
２００    キャップ
３００    ソケット台
３１０    ソケット取付面部
３２０    ソケット台折曲部
４００    ソケット
５００    反射板
５１１    凹状切欠部
５３０    ねじ（締結手段）
【図１】
0003761099.tif 000002
【図２】
0003761099.tif 000003
【図３】
0003761099.tif 000004
【図４】
0003761099.tif 000005
【図５】
0003761099.tif 000006
【図６】
0003761099.tif 000007
【図７】
0003761099.tif 000008
【図８】
0003761099.tif 000009
【図９】
0003761099.tif 000010